(57)【特許請求の範囲】
【請求項１】
底部の上方に口を開けた容器本体と、上記容器本体の口を覆う蓋体と、を備え、
上記容器本体は、収容部と、上記収容部と並べて設けられ上記収容部よりも容積を小さく形成して上記容器本体の口の一部を構成する小分け部と、を備えて、収容物を入れる空間が上記収容部の内側から上記小分け部の内側までとぎれることなく構成されており、
上記蓋体は、上記収容部を覆う第一蓋部と、上記第一蓋部に対して起伏自在に上記第一蓋部と一体に形成されていて上記小分け部を覆う第二蓋部と、を備えて、上記容器本体に蓋をした状態で上記第二蓋部を起こすと上記容器本体の口の一部が開く包装用容器であって、
上記容器本体は上記小分け部の外側に配置された突起部を備え、
上記第一蓋部は上記口（上記口の一部を除く。）に嵌る嵌入部を備え、
上記第二蓋部は上記突起部が嵌入する受け部を備えて、
上記嵌入部が上記口（上記口の一部を除く。）に嵌って上記第一蓋部が上記収容部を塞ぎ、上記突起部が上記受け部に嵌って上記第二蓋部が上記小分け部に被さることを特徴とする、包装用容器。
【請求項２】
上記容器本体は、上記収容部と上記小分け部との間に形成され、底部側から口側へ突出する規制部を備えることを特徴とする、請求項１に記載の包装用容器。
【請求項３】
上記小分け部は上記収容部より浅く形成されることを特徴とする、請求項１又は請求項２に記載の包装用容器。
【請求項４】
上記第一蓋部と上記第二蓋部との間に第二蓋部用ヒンジ部を備え、
上記第二蓋部用ヒンジ部は、上記蓋体を貫通する切断部と上記第一蓋部と上記第二蓋部とをつなぐつなぎ部とを交互に配置して構成されることを特徴とする、請求項１から請求項３の何れかに記載の包装用容器。
【請求項５】
上記つなぎ部の長さが２〜４ｍｍであり、上記切断部の長さが上記つなぎ部の長さの４〜６倍であり、ポリオレフィン系樹脂またはポリエステル系樹脂から構成されていることを特徴とする、請求項４に記載の包装用容器。
【請求項６】
上記容器本体と上記第一蓋部との間にヒンジ部をさらに設けていることを特徴とする、請求項１から請求項５の何れかに記載の包装用容器。
【請求項７】
上記底部は、上記空間側へ突き出る複数の凸部で形成された凹凸状の面を備えていることを特徴とする、請求項１から請求項６の何れかに記載の包装用容器。
【発明の詳細な説明】
【技術分野】
【０００１】
本発明は、刻んだ葱等の食品を包装するプラスチック製の包装用容器であって、食品の一部を振り出すことができる包装用容器の構造に関する。
【背景技術】
【０００２】
従来、プラスチック製の包装用容器として、特許文献１に開示された包装用容器は、容器本体に被さる蓋体とは別に、蓋体に設けられた窓部を塞ぐ蓋部を備えている。特許文献１の包装用容器では、蓋体の窓部を開けて米や乾物等の食品を取り出すことができる。
【０００３】
食品の取り出し方として、振り出す用に構成された包装用容器が特許文献２に開示されている。特許文献２の包装用容器は、刻んだ乾燥葱を収容する容器であり、ボトル状に形成された包装用容器の上面に口が設けられている。
【先行技術文献】
【特許文献】
【０００４】
【特許文献１】登録実用新案第３００６８６３号公報
【特許文献２】実開昭６３−１０５６１４号公報
【発明の概要】
【発明が解決しようとする課題】
【０００５】
特許文献２の包装用容器に葱を収容する場合、上面の中央に形成された小さな口から入れなければならず、作業が煩雑になってしまう。特に、新鮮な葱である場合、乾燥した葱に比べて包装用容器へ入れる作業は容易ではない。そこで、振出用の包装用容器を特許文献１の包装用容器のように大きな口から葱を入れるように構成すると、取出用の窓部を塞ぐ蓋部と大きな口を覆う蓋体とを別々に製造することになる。これでは、蓋部を蓋体に取り付ける作業が煩雑となり、また製造費用も嵩んでしまう。そこで、窓部を設けた蓋体と、窓部を塞ぐ蓋部とが一体に構成されることが望ましい。
【０００６】
本発明は、刻んだ新鮮な葱等の食品を振り出すことができる包装用容器を提供することを目的とする。
【課題を解決するための手段】
【０００７】
上記課題を解決するために、本発明は、底部の上方に口を開けた容器本体と、上記容器本体の口を覆う蓋体と、を備える包装用容器であって、上記蓋体は、第一蓋部と、上記第一蓋部に対して起伏自在に上記第一蓋部と一体に形成された第二蓋部と、を備え、上記容器本体に蓋をした状態で上記第二蓋部を起こすと上記容器本体の口の一部が開くことを特徴としている。上記容器本体が、収容部と、上記収容部と並べて設けられ上記収容部よりも容積を小さく形成して上記容器本体の口の一部を構成する小分け部と、を備え、収容物を入れる空間が上記収容部の内側から上記小分け部の内側までとぎれることなく構成されていて、上記第一蓋部が上記収容部を覆い、上記第二蓋部が上記小分け部を覆う。上記容器本体は上記小分け部の外側に配置された突起部を備え、上記第一蓋部は上記口（上記口の一部を除く。）に嵌る嵌入部を備え、上記第二蓋部は上記突起部が嵌入する受け部を備えて、上記嵌入部が上記口（上記口の一部を除く。）に嵌って上記第一蓋部が上記収容部を塞ぎ、上記突起部が上記受け部に嵌って上記第二蓋部が上記小分け部に被さる。
【０００９】
さらに、本発明の包装用容器は、上記容器本体が、上記収容部と上記小分け部との間に形成され、底部側から口側へ突出する規制部を備えることが望ましい。
【発明の効果】
【００１０】
本発明によれば、第二蓋部が容器本体の大きな口を覆う蓋体に一体に形成されているので、蓋部を蓋体に取り付ける煩雑さを解消し、また製造費用を低減することが期待できる。さらに、特許文献２の包装用容器で振り出す量を調整することは容易ではないが、容器本体が、収容物を入れる収容部とは別に、収容物の一部を収容部から移して入れることができる小分け部を備えており、適量で振り出すことができる。また、規制部を設けると、収容部の収容物と小分け部に移した一部の収容物とが混ざることを低減できる。これにより振出前に、量の調整が一層容易となる。
【図面の簡単な説明】
【００１１】
【図１】本発明の第一実施形態のプラスチック製の包装用容器を示す平面図である。
【図２】本発明の第一実施形態のプラスチック製の包装用容器を示す斜視図である。
【図３】本発明の第一実施形態のプラスチック製の包装用容器を示す正面図である。
【図４】本発明の第一実施形態のプラスチック製の包装用容器を示す背面図である。
【図５】本発明の第一実施形態のプラスチック製の包装用容器を示す左側面図である。
【図６】本発明の第一実施形態のプラスチック製の包装用容器を示す右側面図である。
【図７】本発明の第一実施形態のプラスチック製の包装用容器を示す平面図である。
【図８】本発明の第一実施形態のプラスチック製の包装用容器を示す底面図である。
【図９】図７のＡ−Ａ線に沿った包装用容器の参考端面図である。
【図１０】本発明の第一実施形態のプラスチック製の包装用容器を示す斜視図である。
【図１１】図１のＢ−Ｂ線に沿った収容部の端面図である。
【図１２】図１のＣ−Ｃ線に沿った収容部の断面図である。
【図１３】図１のＤ−Ｄ線に沿った小分け部の断面図である。
【図１４】本発明の第一実施形態の変形例のプラスチック製の包装用容器の端面図である。
【図１５】本発明の第二実施形態のプラスチック製の包装用容器の平面図である。
【図１６】（Ａ）及び（Ｂ）は本発明の第二実施形態のプラスチック製の包装用容器を示す斜視図である。
【図１７】（Ａ）及び（Ｂ）は本発明の第二実施形態の変形例のプラスチック製の包装用容器を示す斜視図、（Ｃ）は（Ｂ）のＦ−Ｆ線に沿った端面図である。
【発明を実施するための形態】
【００１２】
図１は本発明の第一実施形態のプラスチック製の包装用容器１を示す平面図であり、収容物として細かく切った葱を包装用容器１に入れる場合を例示して以下説明する。
【００１３】
包装用容器１は、容器本体１０と、容器本体１０との間にヒンジ部を設けて容器本体１０の口を覆う蓋体２０と、を備えている。図１では、蓋体２０がヒンジ部によって回転して容器本体１０の横に配置されて、容器本体１０の口が開いた状態を示している。以下、ヒンジ部を、後述する第二蓋部２２０用のヒンジ部と区別するために、第一ヒンジ部３０と呼ぶ。
【００１４】
包装用容器１は、蓋体２０を第一ヒンジ部３０によって回転させて容器本体１０に被せて使用することができ、図２は包装用容器１の斜視図で蓋体２０が容器本体１０に被さった使用状態を示している。図３は包装用容器１の正面図、図４は包装用容器１の背面図、図５は包装用容器１の左側面図、図６は包装用容器１の右側面図、図７は包装用容器１の平面図、図８は包装用容器１の底面図である。
【００１５】
図９は図７のＡ−Ａ線に沿った包装用容器１の端面図である。包装用容器１は、内部の収容空間Ｓが高さよりも図９に一点鎖線で示す水平面Ｈに沿った縦（図１では矢印Ｌ）と横（図１では矢印Ｗ）の方向へ広く形成されて、底面側と上面側から把持できるように構成されている。
【００１６】
図１０は包装用容器１の蓋体２０の一部を成す後述の第二蓋部２２０を開けた使用状態を示す斜視図であり、包装用容器１は、振り出し用の口（以下、振出口４０と呼ぶ。）を周縁に寄せて設けている。包装用容器１は振出口４０の近くで葱を小分けできるように構成されている。
【００１７】
容器本体１０は、図１に示すように、収容部１１０と、収容部１１０と並んで設けられた小分け部１２０と、を備えている。蓋体２０は、収容部１１０を覆う第一蓋部２１０と、小分け部１２０を覆う第二蓋部２２０と、を備えている。
【００１８】
容器本体１０は図１に示すように、平面視で外形を矩形状に構成されていて、収容部１１０が外形の三つの角を含むように大きく形成され、小分け部１２０が残りの角に寄せて小さく形成されている。
【００１９】
図１１は図１のＢ−Ｂ線に沿った収容部１１０の端面図である。収容部１１０は、底部（以下、第一底部１１１と呼ぶ。）と、第一底部１１１の周縁部から立ち上がった側部（以下、第一側部１１２と呼ぶ。）と、を備えている。
【００２０】
第一底部１１１は、図１に示すように、収容部１１０の内側で近接して並んだ二本の線で示す周縁部１１１Ａを備えており、周縁部１１１Ａは五角形型に形成されている。周縁部は、縦方向（図１の矢印Ｌの方向）に延びた長い縁（以下、第一長縁１１１Ｂと呼ぶ。）とこれより短い縁（第一短縁１１１Ｃ）、横方向（図１の矢印Ｗの方向）に延びた長い縁（以下、第二長縁１１１Ｄと呼ぶ。）とこれより短い縁（以下、第二短縁１１１Ｅと呼ぶ。）と、第一長縁１１１Ｂより短く第一短縁１１１Ｃより長く斜めに延びた縁（以下、第三長縁１１１Ｆと呼ぶ。）とが、連なって形成されている。本例では、第一長縁１１１Ｂと第二長縁１１１Ｄとが長さを等しく、第一短縁１１１Ｃと第二短縁１１１Ｅとが長さを等しく形成されている。
【００２１】
第一側部１１２は、図１１に示すように第一底部１１１の周縁部１１１Ａから上方に延長した側面下部１１２Ａと、側面下部１１２Ａから斜め上へ延長した側面上部１１２Ｂと、を備えている。側面下部１１２Ａと側面上部１１２Ｂとのつながる部位を、以下、折曲部１１２Ｃと呼ぶ。隣り合う第一側部１１２が第一底部１１１の隅周辺でつながって収容部１１０の角部を構成する。
【００２２】
収容部１１０は、第一底部１１１と第一側部１１２の一部を内側へ数ｍｍ突出させた凸部（以下、第一凸部１３０と呼ぶ。）を複数備えている。第一凸部１３０は、第一底部１１１から第一側部１１２の上部に亘って筋状に延びている。複数の第一凸部１３０は図３や図６に示すように第一側部１１２でそれぞれ上下に延びて並んでいる。複数の第一凸部１３０は、図１や図８に示すように第一底部１１１で交差状に配置されて、葱を載せる面を凹凸状に形成する。
【００２３】
図１２は図１のＣ−Ｃ線に沿った収容部１１０の断面図である。第三長縁１１１Ｆと平行に設けられた第一側部１１２の一部は、第一底部１１１から折曲部１１２Ｃまで延びて、それより上方の部分を成す側面上部１１２Ｂが切欠かれた様に、低く構成されている。以下、第一側部１１２で切欠き状に開いた部分を第一切欠状部１４０と呼ぶ。第一切欠状部１４０は、第一底部１１１に寄せて低い位置に設けられた下縁１４１と、下縁１４１の両端から上方へ延びた一対の横縁１４２とで上方を除いて囲まれている。
【００２４】
第一側部１１２の側面上部１１２Ｂは容器本体１０の口を構成する。側面上部１１２Ｂは、図１１に示すように段部１６０を備えている。段部１６０は、傾斜した側面の端から外側へ延長した横壁部１６１と、横壁部１６１の端から上方へ延びた縦壁部１６２と、を備えている。後述する第一蓋部２１０の嵌入部２１１が段部１６０に嵌って、第一蓋部２１０が収容部１１０を塞ぐ。
【００２５】
小分け部１２０は、収容部１１０の第一切欠状部１４０の外側に設けられている。小分け部１２０は、図１に示すように、底部（以下、第二底部１２１と呼ぶ。）と、第二底部１２１の周縁部１２１Ａから立ち上がった側部（以下、第二側部１２２と呼ぶ。）と、を備えている。
【００２６】
第二側部１２２の高さは収容部１１０の第一側部１１２より低く設定されている。第二側部１２２の上端部が第一側部１１２の上端部と高さを揃えて、図４に示すように小分け部１２０の第二底部１２１は収容部１１０の第一底部１１１よりも高い位置に配置される。さらに、小分け部１２０の第二底部１２１が収容部１１０の第一底部１１１よりも小さく形成されて、小分け部１２０の容量は収容部１１０に比べて少量に設定されている。
【００２７】
小分け部１２０は、外側から内側へ数ｍｍ突出させた凸部（以下、第二凸部１７０と呼ぶ。）を備えている。第二凸部１７０は、第二底部１２１から第二側部１２２に亘って筋状に延びている。複数の第二凸部１７０が第二底部１２１で交差状に配置されて、第二底部１２１は凹凸状の載置面として形成される。
【００２８】
図１３は図１のＤ−Ｄ線に沿った小分け部１２０の断面図である。第二側部１２２は一部を低く形成されている。本例では、第二側部１２２の一部が第二底部１２１から数ｍｍ立ち上がる高さに設定されている。小分け部１２０には、第二側部１２２の上端部から第二底部１２１側へ切欠き状に開いた部分（以下、第二切欠状部１８０と呼ぶ。）が側面に形成されている。
【００２９】
第二切欠状部１８０は、第二底部１２１に寄せて設けられた下縁１８１と、下縁１８１の両端から上方へ延びた一対の横縁１８２と、で上方を除いて囲まれている。小分け部１２０は、第二切欠状部１８０を収容部１１０の第一切欠状部１４０と対向させて、収容部１１０と並んで設けられている。
【００３０】
収容部１１０と小分け部１２０とは、第一切欠状部１４０と第二切欠状部１８０との横縁の上端がそれぞれつながっている。さらに、延設部１９０が収容部１１０と小分け部１２０との間で第一切欠状部１４０から第二切欠状部１８０まで延びて収容部１１０と小分け部１２０とをつないでいる。
【００３１】
延設部１９０は、図１に示すように、収容部１１０側の下縁１４１（図１２）から小分け部１２０側の下縁１８１（図１３）まで延びた延設下部１９１と、収容部１１０から小分け部１２０へ向かう方向に沿って延設下部１９１の端から上方へ延長し更に収容部１１０側の横縁１４２（図１２）から小分け部１２０側の横縁１８２（図１３）まで延びた延設上部１９２と、を備えている。
【００３２】
延設部１９０は、収容部１１０から小分け部１２０へ通じる、上方に口を開いた断面コ字型の通路として形成されている。容器本体１０では、収容部１１０の内側から小分け部１２０の内側まで空間Ｓがとぎれることなく構成されて、葱を収容部１１０から小分け部１２０へ移すことができる。
【００３３】
さらに、延設下部１９１は、図９に示すように、収容部１１０の第一底部１１１と小分け部１２０の第二底部１２１と平行に形成された二つの平坦部（以下、第一平坦部１９１Ａと第二平坦部１９１Ｂと呼ぶ。）を備えている。
【００３４】
収容部１１０側の第一平坦部１９１Ａと小分け部１２０側の第二平坦部１９１Ｂとは高さを異なるように設定され、さらに上下に位置が重ならないよう横にずらして配置されている。第二平坦部１９１Ｂが第一平坦部１９１Ａより高い位置に設けられて、収容部１１０の第一底部１１１から小分け部１２０の第二底部１２１に亘る領域が階段状に高くなり、底部側から口側へ突出した規制部１９３を構成する。規制部１９３は、収容部１１０から小分け部１２０へ葱が入ることを規制する。
【００３５】
容器本体１０は、収容部１１０と小分け部１２０との間の延設部１９０を含めて、収容部１１０から小分け部１２０に亘って広がる一つの大きな口を備えている。容器本体１０の口の内、収容部１１０の第一底部１１１の上方で開いた部分を収容部１１０の口部分と呼び、小分け部１２０の第二底部１２１の上方で開いた部分を小分け部１２０の口部分と呼ぶ。
【００３６】
容器本体１０は、図１に示すように口の周りに外側へ延長したフランジ部１１を備えている。フランジ部１１は、収容部１１０の側面上部１１２Ｂから外側へ延長し、さらに小分け部１２０の第二側部１２２の上端からも外側へ延長している。さらに、フランジ部１１の外形は、縦と横にそれぞれ延びた一対の縁がつながって矩形に形成されている。右側の縦の縁部分が、本実施形態では、第一底部１１１の第一長縁１１１Ｂと平行に配置され、さらに第一ヒンジ部３０が設けられる。
【００３７】
容器本体１０は、図１に示すようにフランジ部１１の一部を上方へ突出させて形成した突起部１５を備えている。突起部１５は小分け部１２０の口部分に隣接して設けられていて、突起部１５は容器本体１０の中央側を臨む側面部１５Ａを備えている。
【００３８】
第一ヒンジ部３０は、断面を円弧状に形成されていて、半円筒状の内面３１を上方へ向けて配置されている。第一ヒンジ部３０の他方の端が蓋体２０につながっていて、第一ヒンジ部３０を撓ませて蓋体２０を回転させることができる。
【００３９】
蓋体２０の第一蓋部２１０は、収容部１１０の第一底部１１１と同様に、五角形状に形成されている。第一ヒンジ部３０が、図１に示すように、第一蓋部２１０の縁の内、第一底部１１１の第一長縁１１１Ｂに対応した部分につながっている。
【００４０】
第一蓋部２１０は、図９に示すように、収容部１１０の口部分に嵌る嵌入部２１１を備えている。嵌入部２１１は、第一蓋部２１０を部分的に収容部側へ凹ませて、第一蓋部２１０の周縁の全体に亘って形成されている。第一蓋部２１０は嵌入部２１１のまわりに外側に延長したフランジ部２１を備えている。
【００４１】
第一蓋部２１０は、嵌入部２１１より内側の中央領域を凹ませて、他の包装用容器１の第一底部１１１を載せるスッタク用凹部２１２を備えている。
【００４２】
第二蓋部２２０は、小分け部１２０の口部分とその周囲のフランジ部１１を覆う。第二蓋部２２０はヒンジ部（以下、第二ヒンジ部２３０と呼ぶ。）を介して第一蓋部２１０と回転自在に連結している。
【００４３】
第二ヒンジ部２３０は、図１に示すように、第一蓋部２１０と第二蓋部２２０との間の平らな面を直線状に貫通した切れ込み（以下、切断部２３１と呼ぶ。）と、第一蓋部２１０と第二蓋部２２０とをつないでいる部分（以下、つなぎ部２３２と呼ぶ。）と、で構成されている。複数の切断部２３１とつなぎ部２３２とが、交互に一列に並んでいる。つなぎ部２３２の長さは２〜４ｍｍであり、切断部２３１の長さはつなぎ部２３２の長さの４〜６倍である。
【００４４】
第二蓋部２２０は突起部１５を受けるように窪んだ受け部２４０を備えている。第二ヒンジ部２３０によって、第二蓋部２２０は第一蓋部２１０に対して起伏自在に構成されていて、第二蓋部２２０は容器本体側に倒伏した状態で振出口４０を成す小分け部１２０の口部分に被さる。第二蓋部２２０が倒伏した状態は突起部１５が受け部２４０に嵌入して維持される。
【００４５】
容器本体１０と蓋体２０とは、第一ヒンジ部３０を含めて、一体に形成されている。材料は限定されものではないが、ポリオレフィン系樹脂またはポリエステル系樹脂を利用することができる。本実施形態の包装用容器１は、ＰＥＴ等の樹脂製のシート材を成型で熱変形させて製造され、さらに全体を透明に構成されている。成型後の包装用容器１の各部の厚みは、特に限定されるものではないが０．０５ｍｍ〜１．０ｍｍであり、好ましくは０．１ｍｍ〜０．５ｍｍであり、さらに望ましくは０．２ｍｍ〜０．４ｍｍである。なお、透明に限らず、透光性を有したり、不透明に構成してもよい。
【００４６】
次に、本実施形態の包装用容器１の使用方法を説明する。葱を包装用容器１に入れるときには、蓋体２０を外して包装用容器１の口全体を開ける。収容部１１０に葱を入れた後、再び蓋をする。第一蓋部２１０の嵌入部２１１を収容部１１０に嵌入させ、容器本体１０の突起部１５を第二蓋部２２０の受け部２４０に嵌入させることで、第一蓋部２１０が収容部１１０の口部分を塞ぎ、第二蓋部２２０が小分け部１２０の口部分を覆った状態が維持される。
【００４７】
包装用容器１から葱を出すときには、先ず収容部１１０から小分け部１２０へ一部の葱を移す。この時、使用者は包装用容器１を掴み、軽く包装用容器１を振り、小分け部１２０に入った葱の量を確認する。
【００４８】
次に、収容部１１０の口部分に蓋をした状態で、第二蓋部２２０を第一蓋部２１０に対して起こす。これにより、振出口４０としての小分け部１２０の口部分が図１０に示すように包装用容器１の端に寄った位置で開く。包装用容器１を掴んで適度に振ると、葱が小分け部１２０から振り出される。
【００４９】
葱を出した後、第二蓋部２２０を再び倒し、さらに容器本体１０の突起部１５を第二蓋部２２０の受け部２４０に入れる。これにより、次に葱を出すまで、振出口４０は第二蓋部２２０で覆われる。
【００５０】
本実施形態の包装用容器１は、振出口４０を覆う第二蓋部２２０が容器本体１０の大きな口を覆う蓋体２０と一体に形成されているので、特許文献１の包装用容器のように蓋部を蓋体に取り付ける煩雑さを解消することができ、製造費用も低減することが期待できる。
【００５１】
本実施形態の包装用容器１は、葱の一部を出す際に、容器本体１０に被さる蓋体２０の一部を起こして、小さな振出口４０から振り出すことができる。葱を取り出すときに蓋全体を容器本体１０から外す手間が省け、さらに清潔に使用できる。例えば、容器本体１０から葱を箸で取り出す際に箸の付着物が容器本体内の葱に移って葱の新鮮さを損なうことや、直接手で摘まんで手を汚すことを防止できる。
【００５２】
特許文献２の包装用容器は、ボトル状の容器本体が上面の中央に振出用の口を設けているので、使用者が量を調整することは容易ではなかった。本実施形態の包装用容器１は、蓋体２０を含めて全体が透明で構成されているので、使用者は収容部１１０から小分け部１２０へ移した葱の量を確認できる。葱を振り出す前に、小分け部１２０で量を調整できるので、便利である。
【００５３】
さらに、振出口４０が容器本体１０の端に寄せて設けられ、容器本体１０は高さに比べて縦と横に広がった掴み易い形に構成されている。よって、使用者が反対側を掴んで軽い動作で容易に葱を振り出すことができる。
【００５４】
特許文献２の包装用容器では、振出用の口を覆う蓋体が容器本体と一体に構成されていて、使用の際に容器本体の傾きの加減で開き度合いが変わるので、蓋体が葱を出す際に妨げになる虞がある。本実施形態の包装用容器１では、つなぎ部２３２と切断部２３１とが上記の特定の長さで構成されることで、第二ヒンジ部２３０が起立維持部として第二蓋部２２０を起こした状態を維持できる。よって、葱の振出の量に応じて小分け部１２０の口部分と第二蓋部２２０との間の開き度合いを調整して振出を行える。
【００５５】
第二ヒンジ部２３０を、切断部２３１とつなぎ部２３２とを交互に一列に並べて構成することで、第二蓋部２２０を回転させる機能を簡素な構造で実現できる。第一ヒンジ部３０のような断面が半円筒状の構造を蓋体２０に適用する場合に比べて、ヒンジ部を構成する材料を省くなどの費用の低減も期待できる。
【００５６】
さらに、規制部１９３が設けられているので、収容部１１０の葱と小分け部１２０に移した一部の葱とが混ざることを低減できる。これにより振出前に、量の調整が一層容易となる。
【００５７】
第一蓋部２１０と第二蓋部２２０とは容器本体１０での固定方法が異なっている。第一蓋部２１０の嵌入部２１１は収容部１１０の口部分の内側に嵌って取り付けられている。水密的に第一蓋部２１０が収容部１１０の口を塞いで、外へ水が出ることが防止される。なお、収容部内では、第一底部１１１が凹凸状に形成されて、葱を浮かせて水を葱の下に溜めることができる。
【００５８】
小分け部側では、第二蓋部２２０が、小分け部１２０の外側に配置された突起部１５を含めて被さって容器本体１０に固定されているので、収容部１１０に蓋をした状態で、第二蓋部２２０だけを容易に開けることができる。
【００５９】
本実施形態の包装用容器１は、第二蓋部２２０を第二ヒンジ部２３０で回転させて小分け部１２０の口部分を繰り返し開閉することができ、さらに小分け部１２０の口部分に蓋をした状態を維持する再封性を備えているので、葱の流出を防止できる。また、特許文献２の包装用容器は、シール材を利用して蓋体を口に当てた状態を維持するが、本実施形態の包装用容器１は、容器本体１０の突起部１５を第二蓋部２２０の受け部２４０に嵌入させて振出口４０を覆うことができ、別部材が不要で特許文献２に比べて取扱いが簡単である。
【００６０】
図１４は本発明の第一実施形態の変形例の包装用容器１Ａの端面図である。図１４は蓋体２０Ａを一点鎖線で表している。容器本体１０Ａは、小分け部１２０Ａの底部１２５を収容部１１０Ａの底部１１５より低い位置に設けて構成されている。包装用容器１Ａでは、収容部１１０Ａから小分け部１２０Ａへ葱等の収容物を移し易く構成されている。
【００６１】
図１５は本発明の第二実施形態の包装用容器２の平面図である。包装用容器２は、容器本体１０Ｂと、容器本体１０Ｂとの間に第一ヒンジ部３０を設けて容器本体１０Ｂの口を覆う蓋体２０Ｂと、を備えている。図１５では、容器本体１０Ｂの口が開いた状態を示し、蓋体２０Ｂは第一ヒンジ部３０によって回転して容器本体１０Ｂの横に配置されている。
【００６２】
包装用容器２は、蓋体２０Ｂを第一ヒンジ部３０によって回転させて容器本体１０Ｂに被せて使用することができる。図１６（Ａ）は包装用容器２の斜視図であり、蓋体２０Ｂが容器本体１０Ｂに被さった使用状態を示している。
【００６３】
図１６（Ｂ）は包装用容器２の蓋体２０Ｂの一部である後述の第二蓋部２２０Ｂを起こして振出口４０Ｂを開けた使用状態を示す図である。包装用容器２は振出口４０Ｂを容器本体１０Ｂの周縁に寄せて設けている。
【００６４】
容器本体１０Ｂは、図１５に示すように、底部１１６と、底部１１６の周縁部から立ち上がった側部１１７と、を備えている。底部１１６は矩形型に周縁部を構成して、四つの隅部を備えている。容器本体１０Ｂに蓋をした状態で、振出口４０Ｂは一つの隅部に寄せて配置される。容器本体１０Ｂは、振出口周辺（図１５で一点鎖線Ｅで囲われた領域）では、底部１１６と側部１１７の一部が、振出口４０Ｂへ近づくように湾曲して形成されている。
【００６５】
蓋体２０Ｂは容器本体１０Ｂと第一ヒンジ部３０を介して一体に形成されている。蓋体２０Ｂは、容器本体１０Ｂの口を覆う第一蓋部２１０Ｂと、第一蓋部２１０Ｂに起伏自在に形成された第二蓋部２２０Ｂを備えている。第二蓋部２２０Ｂは、蓋体２０Ｂの一部で構成され蓋体２０Ｂにつなぎ部分を残して、切れ込みを入れて形成されている。
【００６６】
図１６（Ａ）に示すように、第一蓋部２１０Ｂは、高い部分（以下、高部２１１Ｂと呼ぶ。）と、それより低い位置に設けられた部分（以下、低部２１２Ｂと呼ぶ。）と、を備えている。
【００６７】
第二蓋部２２０Ｂは低部２１２Ｂに設けられている。第二蓋部２２０Ｂは、脚部２２１と、脚部２２１の先端部に設けられ、振出口４０Ｂを塞ぐ閉塞部２２２とから構成されている。脚部２２１は、切断部とつなぎ部とで構成された第二ヒンジ部２３０を介して低部２１２Ｂにつながっている。閉塞部２２２は、脚部２２１の幅より大きく形成され、略三角形状に外形を形成されている。閉塞部２２２は内側を高く形成した摘み部２２４を備えている。
【００６８】
第一蓋部２１０Ｂは、図１６（Ｂ）に示すように第二蓋部２２０Ｂを起こした状態を維持する起立維持部を高部２１１Ｂに備えている。起立維持部は、高部２１１Ｂを部分的に窪ませて形成した一対の溝部２６０を備えている。溝部２６０は、第二蓋部２２０Ｂを立たせた際に、脚部２２１の横に位置するように設けられて、閉塞部２２２が部分的に入って、第二蓋部２２０Ｂが起きた姿勢が維持される。
【００６９】
包装用容器２によれば、振出口４０Ｂを開けた状態で、包装用容器２を掴んで適度に振ると、葱等の収容物を出すことができる。この際、振出口周辺では、底部１１６と側部１１７とが振出口４０Ｂへ葱を案内するように湾曲しているので、振出を容易に行える。また、第二蓋部２２０Ｂが起立維持部で動きを規制されるので、振出を妨げることも防止できる。
【００７０】
図１７は第二実施形態の変形例の包装用容器２Ａを示す図で、(Ａ)は蓋をした状態の包装用容器２Ａを示す斜視図、（Ｂ）は振出口４０Ｃが開いた状態の包装用容器２Ａを示す斜視図、（Ｃ）は（Ｂ）のＦ−Ｆ線に沿った包装用容器２Ａの端面図である。
【００７１】
包装用容器２Ａは第二実施形態と同様に容器本体１０Ｃが小分け部１２０，１２０Ａを設けずに構成されているが、蓋体２０Ｃが第二実施形態と異なり容器本体１０Ｃから分離して構成されている。
【００７２】
容器本体１０Ｃは、矩形状の底部１１８と、底部１１８の周縁から延長した側部（以下、容器側部１１９と呼ぶ。）とで、構成されている。容器側部１１９は、四つの側面を形成し、側面の左右の端部が隣りの側面の端部とつながって角部１１９Ａを構成し、各側面が高さを揃えて容器本体１０Ｃの口を形成する。さらに、容器側部１１９は、口の周りに上端部から延長して形成されていて、蓋体２０Ｃの内側に嵌入する当接部１１９Ｂを備えている。
【００７３】
蓋体２０Ｃは、容器本体１０Ｃの口を覆う外形を矩形状に形成された平板部２５と、平板部２５の周縁部から延長した側部（以下、蓋側部２６と呼ぶ。）と、から構成されている。蓋体２０Ｃは、容器本体１０Ｃの外側の部分を成す当接部１１９Ｂが蓋側部２６の内側に嵌入する外嵌合式に構成されて、容器本体１０Ｃの口と、その周りの容器側部１１９の上端部の外側とを覆う。
【００７４】
蓋体２０Ｃの平板部２５は、上記の第二ヒンジ部２３０を備えている。蓋体２０Ｃが容器本体１０Ｃに被さった状態で、第二ヒンジ部２３０が容器本体１０Ｃの一つの角部１１９Ａに寄せて設けられている。ここで、第二ヒンジ部２３０を境に、容器本体１０Ｃの口の大半を覆う広い側を第一蓋部２１０Ｃと呼び、その反対の角部１１９Ａ側を第二蓋部２２０Ｃと呼ぶ。容器本体１０Ｃに蓋をした状態で、第二蓋部２２０Ｃを、第一蓋部２１０Ｃに対して起こすと、図１７（Ｂ）に示すように、容器本体１０Ｃの角部１１９Ａ周辺に、容器本体１０Ｃの口に比べて小さい振出口４０Ｃが開く。
【００７５】
また、第二実施形態と異なり、第二ヒンジ部２３０が、蓋体２０Ｃの平板部２５を成す平らな面を貫通した切断部２３１とつなぎ部２３２とが交互に一列に並んで構成され、前述と同様の寸法で切断部２３１がつなぎ部２３２より長く構成されている。第二ヒンジ部２３０によって、第二蓋部２２０Ｃの開きの角度を維持することができる。
【００７６】
包装用容器２Ａによれば、蓋体２０Ｃを容器本体１０Ｃに被せると、底部１１８と平板部２５との間に高さに比べて縦横へ広がる空間が形成されて葱を入れることができ、第一蓋部２１０Ｃを取り付けた状態で第二蓋部２２０Ｃを起こして、容器本体１０Ｃの角部１１９Ａに寄せた振出口４０Ｃから振り出すことができる。
【００７７】
使用後、第二蓋部２２０Ｃを倒し容器側部１１９の当接部１１９Ｂを蓋側部２６の内側に入れると、第二蓋部２２０Ｃが再び固定されて、次に使用されるまで容器本体１０Ｃに蓋をした状態が維持される。
【００７８】
本発明の実施形態の包装用容器の収容物は、葱に限定されるものではなく、分けて食する、或いは料理に使用する食材を含み、例えばシラス、粒状、豆類、粉類等などを収容することができる。また、包装用容器は、生鮮食品に限らず、加工した食品、それらを冷凍したもの、また乾燥した食品等を対象として用いてもよい。
【００７９】
第一ヒンジ部３０は、第二ヒンジ部２３０のように、切断部２３１とつなぎ部２３２とを上記の所定の間隔で交互に配置した構成に代えてもよい。第一ヒンジ部３０が半円筒状に構成されている場合には図１に示すように蓋体２０が回転して容器本体１０の横の位置に維持されるが、第一ヒンジ部３０は切断部２３１とつなぎ部２３２とで起立維持部として機能すると、蓋体を任意の角度まで回転させることができ、更にその位置に蓋体を維持することができて、包装用容器の取り扱い性が向上する。
【００８０】
本発明の実施形態の包装用容器では、大きさや寸法の比率等は図示例の構成に限定されるものではない。
【符号の説明】
【００８１】
１，１Ａ，２，２Ａ  包装用容器
１０，１０Ａ，１０Ｂ，１０Ｃ  容器本体
１１，２１  フランジ部
１５  突起部
１１０，１１０Ａ  収容部
１１１  第一底部
１１１Ａ  周縁部
１１２  第一側部
１１５，１１６，１１８，１２５  底部
１１７  側部
１２０，１２０Ａ  小分け部
１２１  第二底部
１２２  第二側部
１３０  第一凸部
１４０  第一切欠状部
１６０  段部
１７０  第二凸部
１８０  第二切欠状部
１９０  延設部
１９１Ａ  第一平坦部
１９１Ｂ  第二平坦部
１９３  規制部
２０，２０Ａ，２０Ｂ，２０Ｃ  蓋体
２１０，２１０Ｂ，２１０Ｃ  第一蓋部
２１１  嵌入部
２２０，２２０Ｂ，２２０Ｃ第二蓋部
２３０  第二ヒンジ部
２３１  切断部
２３２  つなぎ部
２４０  受け部
３０  第一ヒンジ部
４０，４０Ｂ，４０Ｃ  振出口
【図１】
0006548439.tif 000002
【図２】
0006548439.tif 000003
【図３】
0006548439.tif 000004
【図４】
0006548439.tif 000005
【図５】
0006548439.tif 000006
【図６】
0006548439.tif 000007
【図７】
0006548439.tif 000008
【図８】
0006548439.tif 000009
【図９】
0006548439.tif 000010
【図１０】
0006548439.tif 000011
【図１１】
0006548439.tif 000012
【図１２】
0006548439.tif 000013
【図１３】
0006548439.tif 000014
【図１４】
0006548439.tif 000015
【図１５】
0006548439.tif 000016
【図１６】
0006548439.tif 000017
【図１７】
0006548439.tif 000018